(57)【要約】【課題】旋回作業車のキャノピー支持構造において、キャノピーを後部キャノピー支持部材のみで支持する場合に比べて支持強度の向上を図るとともに、前部キャノピー支持部材を運転操作部や作業者用のガードとして用いることができるようにする。【解決手段】旋回体２の前部に前部キャノピー支持部材としての支持板５６と支持ブラケット５７を設け、前記キャノピー８の前部支柱１９・１９を該支持ブラケット５７に固定可能とし、前記前部キャノピー支持部材としての支持板５６と支持ブラケット５７と、旋回体２の後部のカウンターウェイト１７に固設した後部キャノピー支持部材１８とによりキャノピー８を着脱可能に支持する構成とした。【選択図】図１３
2008114852.tif 000002
【特許請求の範囲】
【請求項１】
旋回可能に構成した旋回体（２）へ回動可能に取り付けられたブーム（６）と該ブーム（６）へ回動自在に取り付けられたアーム（５）と、該アーム（５）へ回動自在に取り付けられた作業用アタッチメントとを有した作業機（７）を備え、前記旋回体（２）の後端部にカウンターウェイト（１７）を配設した旋回作業車において、前記カウンターウェイト（１７）にキャノピー支持部材（１８）を固設し、該キャノピー支持部材（１８）は二本の支持支柱（１８ａ・１８ａ）と支持ブラケット（１８ｂ）にて構成し、該支持支柱（１８ａ・１８ａ）は、左右方向に一定の間隔を設けてカウンターウェイト（１７）に立設され、上方へいくにつれて、支持支柱（１８ａ・１８ａ）の互いの間隔が小さくなるように途中部から内側方向へ屈曲しており、該支持支柱（１８ａ・１８ａ）の上端部に、両者を連結する支持ブラケット（１８ｂ）を固設し、前記キャノピー（８）は、キャノピールーフ（８ａ）と二本の支柱（８ｂ・８ｂ）と被支持ブラケット（８ｃ）とにより構成し、該キャノピールーフ（８ａ）から、支柱（８ｂ・８ｂ）を左右方向に一定の間隔を設けて下方へ延出し、下方へいくにつれて互いの間隔を小さくすべく途中部から内側方向へ屈曲させ、該支柱（８ｂ・８ｂ）の下端部には、両者を連結するように被支持ブラケット（８ｃ）を固設し、前記キャノピー支持部材（１８）の支持ブラケット（１８ｂ）に、ガイドピン（２２）を立設し、キャノピー（８）の被支持ブラケット（８ｃ）に設けた嵌合穴（８ｄ・８ｄ）と該ガイドピン（２２）を着脱自在に嵌合すべく構成し、該旋回体（２）前部に前部キャノピー支持部材としての支持板（５６）と支持ブラケット（５７）を設け、前記キャノピー（８）の前部支柱（１９・１９）を該支持ブラケット（５７）に固定可能とし、該前部キャノピー支持部材と後部キャノピー支持部材（１８）とによりキャノピー（８）を着脱可能に支持したことを特徴とする旋回作業車のキャノピー支持構造。
【請求項２】
請求項１記載の旋回作業車のキャノピー支持構造において、前記前部キャノピー支持部材の旋回体前部への取り付けは、該前部キャノピー支持部材の下端に固設した支持板（５６）を旋回体のフレーム（２ａ）に取付固定するとともに、該前部キャノピー支持部材を支持ブラケット（５７）を介して旋回体（２）の側板（２ｂ）に取付固定することにより行うことを特徴とする旋回作業車のキャノピー支持構造。
【発明の詳細な説明】
【技術分野】
【０００１】
本発明は、バックホー等の作業機を搭載した旋回作業車であって、特に小型の旋回作業車におけるキャノピーの支持構造に関する。
【背景技術】
【０００２】
従来から、バックホー等の作業機を搭載した旋回作業車、特に小型の旋回作業車においては、シート及び運転操作部の上方にキャノピーが配設されているものがあった。該キャノピーは、シート及び運転操作部の上方を覆うキャノピールーフと該キャノピールーフを支持する支柱とにより一体的に構成されており、支柱を旋回体の後部のボンネットに直接固設することにより旋回作業車に取り付けられていた。また、このような小型の旋回作業車は、低木が植え付けられた果樹園や公園やビニールハウス等、背が高いと入り込めない場所での作業を行う機会が多く、このような場所で作業を行う場合には、キャノピーを取り外す必要があった。
【特許文献１】特開平７−１２７０９９号公報
【特許文献２】特開平９−２５６４９号公報
【発明の開示】
【発明が解決しようとする課題】
【０００３】
しかし、前記キャノピーは一人の作業者では持ち運びができない程度のかなりの重さを有しているため、該キャノピーの着脱作業を行う際には複数の作業者が必要となっていた。また、キャノピーの着脱作業時は一人の作業者がキャノピーを取付位置にて支持し、他の作業者がボルトを締め付ける等の取付作業を行い、複数の作業者が同時に着脱作業に加わる必要があった。このように、キャノピーの着脱作業の機会が多いにもかかわらず、複数の作業者を必要とするとともに、煩雑で重労働あった。また、キャノピーは、ボルト等の締結部材により旋回体へ取付固定されていたが、ボルト等の締め付けが甘かったり、締め忘れがあった場合には、キャノピーが傾いたり脱落したりする恐れがあった。また、キャノピーはボンネットに直接取り付けられていたので、ボンネットを上方に回動してボンネット内を開放する、所謂フルオープンタイプのボンネットに構成することができなかった。従って、ボンネットは分割され、ボンネット内の後部のメンテナンスは、ボンネット後端部に形成した窓から行うこととなり、開口面積が小さく、作業性が悪かった。さらに、キャノピーはボンネットに直接取り付けていたので、シートの配置スペースを広く取ることができず、身長に合わせてシートを前後方向に移動可能とする構成とすることができず、運転部のスペースも小さくなっていた。また、キャノピーを設けない仕様となっている旋回作業車にキャノピーを後付けで取り付ける場合には、ボンネットやその内部を分解するなどの煩雑な作業が必要であった。本発明は更に、キャノピーを後部キャノピー支持部材のみで支持する場合に比べて支持強度を向上するものである。また、前部キャノピー支持部材を運転操作部や作業者用のガードとして用いるものである。
【課題を解決するための手段】
【０００４】
本発明の解決しようとする課題は以上の如くであり、次に該課題を解決する為の手段を説明する。
請求項１においては、旋回可能に構成した旋回体（２）へ回動可能に取り付けられたブーム（６）と該ブーム（６）へ回動自在に取り付けられたアーム（５）と、該アーム（５）へ回動自在に取り付けられた作業用アタッチメントとを有した作業機（７）を備え、前記旋回体（２）の後端部にカウンターウェイト（１７）を配設した旋回作業車において、前記カウンターウェイト（１７）にキャノピー支持部材（１８）を固設し、該キャノピー支持部材（１８）は二本の支持支柱（１８ａ・１８ａ）と支持ブラケット（１８ｂ）にて構成し、該支持支柱（１８ａ・１８ａ）は、左右方向に一定の間隔を設けてカウンターウェイト（１７）に立設され、上方へいくにつれて、支持支柱（１８ａ・１８ａ）の互いの間隔が小さくなるように途中部から内側方向へ屈曲しており、該支持支柱（１８ａ・１８ａ）の上端部に、両者を連結する支持ブラケット（１８ｂ）を固設し、前記キャノピー（８）は、キャノピールーフ（８ａ）と二本の支柱（８ｂ・８ｂ）と被支持ブラケット（８ｃ）とにより構成し、該キャノピールーフ（８ａ）から、支柱（８ｂ・８ｂ）を左右方向に一定の間隔を設けて下方へ延出し、下方へいくにつれて互いの間隔を小さくすべく途中部から内側方向へ屈曲させ、該支柱（８ｂ・８ｂ）の下端部には、両者を連結するように被支持ブラケット（８ｃ）を固設し、前記キャノピー支持部材（１８）の支持ブラケット（１８ｂ）に、ガイドピン（２２）を立設し、キャノピー（８）の被支持ブラケット（８ｃ）に設けた嵌合穴（８ｄ・８ｄ）と該ガイドピン（２２）を着脱自在に嵌合すべく構成し、該旋回体（２）前部に前部キャノピー支持部材としての支持板（５６）と支持ブラケット（５７）を設け、前記キャノピー（８）の前部支柱（１９・１９）を該支持ブラケット（５７）に固定可能とし、該前部キャノピー支持部材と後部キャノピー支持部材（１８）とによりキャノピー（８）を着脱可能に支持したものである。
【０００５】
請求項２においては、請求項１記載の旋回作業車のキャノピー支持構造において、前記前部キャノピー支持部材の旋回体前部への取り付けは、該前部キャノピー支持部材の下端に固設した支持板（５６）を旋回体のフレーム（２ａ）に取付固定するとともに、該前部キャノピー支持部材を支持ブラケット（５７）を介して旋回体（２）の側板（２ｂ）に取付固定することにより行うものである。
【発明の効果】
【０００６】
本発明は以上の如く構成したので、次のような効果を奏するのである。
請求項１の如く、旋回可能に構成した旋回体（２）へ回動可能に取り付けられたブーム（６）と該ブーム（６）へ回動自在に取り付けられたアーム（５）と、該アーム（５）へ回動自在に取り付けられた作業用アタッチメントとを有した作業機（７）を備え、前記旋回体（２）の後端部にカウンターウェイト（１７）を配設した旋回作業車において、前記カウンターウェイト（１７）にキャノピー支持部材（１８）を固設し、該キャノピー支持部材（１８）は二本の支持支柱（１８ａ・１８ａ）と支持ブラケット（１８ｂ）にて構成し、該支持支柱（１８ａ・１８ａ）は、左右方向に一定の間隔を設けてカウンターウェイト（１７）に立設され、上方へいくにつれて、支持支柱（１８ａ・１８ａ）の互いの間隔が小さくなるように途中部から内側方向へ屈曲しており、該支持支柱（１８ａ・１８ａ）の上端部に、両者を連結する支持ブラケット（１８ｂ）を固設し、前記キャノピー（８）は、キャノピールーフ（８ａ）と二本の支柱（８ｂ・８ｂ）と被支持ブラケット（８ｃ）とにより構成し、該キャノピールーフ（８ａ）から、支柱（８ｂ・８ｂ）を左右方向に一定の間隔を設けて下方へ延出し、下方へいくにつれて互いの間隔を小さくすべく途中部から内側方向へ屈曲させ、該支柱（８ｂ・８ｂ）の下端部には、両者を連結するように被支持ブラケット（８ｃ）を固設し、前記キャノピー支持部材（１８）の支持ブラケット（１８ｂ）に、ガイドピン（２２）を立設し、キャノピー（８）の被支持ブラケット（８ｃ）に設けた嵌合穴（８ｄ・８ｄ）と該ガイドピン（２２）を着脱自在に嵌合すべく構成したので、旋回体に支持されシート等の上方を覆うキャノピーを、着脱可能なキャノピーとカウンターウェイトに固設されるキャノピー支持部材とに分割した構成とすることができるため、着脱可能な部分である該キャノピーの重量を低減することができ、一人の作業者でも持ち運びが可能となっている。従って、着脱作業を簡便にして労力を低減するとともに、該作業の作業者の削減を図ることができる。
また、キャノピー支持部材は、ボンネットを保護するボンネットガードとしての機能も兼ね備えることができるため、部品点数を削減してコストダウンを図ることが可能となる。
また、キャノピー支持部材はウェイト部材に取り付けられているので、ボンネットを上方回動可能に構成することができ、所謂フルオープンタイプのボンネットに構成することができて、ボンネット内部のメンテナンス作業スペースを大きく確保することができて、作業性の向上を図ることができる。さらに、ボンネット内のスペースを小さく構成することが可能となって、エンジン等のレイアウト構成も簡単にすることができる。
また、キャノピー支持部材はウェイト部材に取り付けられているので、ボンネットの後部にスペースができ、シートをボンネットの後端部にまで配置することができて、運転操作部のスペースを広く確保することが可能となった。
【０００７】
更に、前記キャノピー支持部材の支持部にガイドピンを立設し、キャノピーの被支持部に該ガイドピンを嵌脱自在に構成したので、キャノピーをキャノピー支持部材に載置した後は、ガイドピンによりキャノピーが支持されることとなり、作業者がキャノピーを支えておく必要がなくなって、キャノピーをキャノピー支持部材に載置した作業者がそのままキャノピーとキャノピー支持部材との連結作業を行うことが可能となる。
また、キャノピーをキャノピー支持部材に載置する際に、ガイドピンによりキャノピーの載置位置が自動的に位置決めされるので、作業者がキャノピーの載置位置を気にかけることなく作業を行うことができる。
また、ガイドピンによりキャノピーを支持するように構成することにより、キャノピーとキャノピー支持部材とを連結するとともに両者の連結強度を確保するためのボルトの締結本数を少なくすることが可能となり、キャノピーの着脱作業を簡便にするとともにコストダウンを図ることができる。
さらに、キャノピーを取り付ける際に、万が一ボルト等の連結部材を締め忘れたとしても、該キャノピーはガイドピンの支持により傾倒しないように構成されているので、該キャノピーの脱落を防止することができる。
【０００８】
更に、該旋回体（２）前部に前部キャノピー支持部材としての支持板（５６）と支持ブラケット（５７）を設け、前記キャノピー（８）の前部支柱（１９・１９）を該支持ブラケット（５７）に固定可能とし、該前部キャノピー支持部材と後部キャノピー支持部材（１８）とによりキャノピー（８）を着脱可能に支持したので、キャノピーを後部キャノピー支持部材のみで支持する場合に比べて支持強度を向上することができる。
また、前部キャノピー支持部材を運転操作部や作業者用のガードとして用いることができる。
【０００９】
更に、請求項２の如く、請求項１記載の旋回作業車のキャノピー支持構造において、前記前部キャノピー支持部材の旋回体前部への取り付けは、該前部キャノピー支持部材の下端に固設した支持板（５６）を旋回体のフレーム（２ａ）に取付固定するとともに、該前部キャノピー支持部材を支持ブラケット（５７）を介して旋回体（２）の側板（２ｂ）に取付固定することにより行うので、旋回体には該支持ブラケットや支持板を取り付けるための取付孔等を形成するだけの簡単な加工を施すだけで、該前部キャノピー支持部材を取り付けることが可能となり、また、簡単な作業で着脱することができる。
【発明を実施するための最良の形態】
【００１０】
次に、本発明の実施の形態を、図面に基づいて説明する。図１は本発明のキャノピー支持構造を具備する旋回作業車を示す全体側面図、図２は旋回体を示す平面図、図３はカウンターウェイトに取付固定されたキャノピー支持部材と該キャノピー支持部材に支持されたキャノピーとを示す後面図、図４は同じく側面図である。
【００１１】
図５はキャノピー支持部材のカウンターウェイトへの取付固定部を示す側面断面図、図６はキャノピーのキャノピー支持部材による支持部を示す後面図、図７は同じくキャノピー支持部材の支持ブラケットを示す平面図、図８はキャノピー及びキャノピー支持部材とシート及びボンネットとの位置関係を示す側面図、図９はキャノピー支持部材のカウンターウェイトへの取付構造の別実施例を示す旋回体の平面図、図１０は同じくカウンターウェイトに取付固定されたキャノピー支持部材と該キャノピー支持部材に支持されたキャノピーとを示す後面図、図１１は同じく側面図、図１２はキャノピー支持部材のカウンターウェイトへの取付部を示す側面断面図、図１３はキャノピー支持構造の別実施例を示す旋回作業者の全体側面図、図１４は同じく旋回体を示す平面図、図１５は前部支柱の旋回体への取付構造を示す側面図、図１６は同じく平面図である。
【００１２】
まず、本発明の作業機構造を有する旋回作業車の構成について説明する。図１において、旋回作業車は、クローラ式走行装置１の上部中央に旋回体２を左右旋回可能に支持しており、該クローラ式走行装置１の前後一端部には、ブレード３を上下回動自在に配設している。旋回体２の上方にはエンジン等を被覆するボンネット１４が配設され、該ボンネット１４の上方にシート１６が取り付けられている。該シート１６の前方には運転操作部１５が設けられ、該運転操作部１５及びシート１６の上方にはキャノピー８が配設されている。また、旋回体２の後端部にはカウンターウェイト１７が付設され、該カウンターウェイト１７にはキャノピー支持部材１８が立設されている。前記キャノピー８はキャノピールーフ８ａと支柱８ｂとで構成され、該支柱８ｂを前記キャノピー支持部材１８に着脱可能に取り付けることで、該キャノピー８を旋回体２に装着している。
【００１３】
また、旋回体２の前端部にはブームブラケット１２が左右回動自在に取り付けられ、該ブームブラケット１２にはブーム６の下端部が上下回動自在に支持されている。
ブーム６は途中部で前方に屈曲して、側面視において屈曲部６ｄを有する略「く」字状に形成されており、該ブーム６の上端部にはアーム５が回動自在に支持され、該アーム５の先端部には作業用アタッチメントとしてのバケット４が回動自在に支持されている。これらのブーム６、アーム５、及びバケット４等により作業機７が構成されている。
【００１４】
そして、前記ブーム６はブームシリンダ１１により回動動作され、アーム５はアームシリンダ１０により回動動作され、バケット４はバケットシリンダ９により回動動作されている。該ブームシリンダ１１、アームシリンダ１０、及びバケットシリンダ９は油圧シリンダに構成され、各シリンダ９・１０・１１は旋回台２のボンネット４内に配設される油圧ポンプから油圧ホースを通じて圧油を供給することにより伸縮駆動されている。また、ブームシリンダ１１はブームブラケット１２のシリンダ支持部１２ｂとブーム６の途中部前面に設けられたブームシリンダブラケット３６との間に介装され、アームシリンダ１０はブーム６の途中部背面に設けられるアームシリンダボトムブラケット３１とアーム５基端部に設けられるバケットシリンダブラケット３０との間に介装され、バケットシリンダ９は該バケットシリンダブラケット３０とバケット４に連結されるバケットブラケット２９との間に介装されている。
【００１５】
次に、キャノピー８及びキャノピー支持部材１８の構成、並びにキャノピー８の支持構造について説明する。図２乃至図４に示すように、前記キャノピー支持部材１８は二本の支持支柱１８ａ・１８ａと支持ブラケット１８ｂとで構成されている。該支持支柱１８ａ・１８ａは、左右方向に一定の間隔を設けてカウンターウェイト１７上面に立設され、上方へいくにつれて互いの間隔が小さくなるように途中部から内側方向へ屈曲しており、該支持支柱１８ａ・１８ａの上端部には、両者を連結するように支持ブラケット１８ｂが固設されている。
【００１６】
前記キャノピー８は、キャノピールーフ８ａと二本の支柱８ｂ・８ｂと被支持部８ｂとにより構成されている。該キャノピールーフ８ａから、支柱８ｂ・８ｂが左右方向に一定の間隔を設けて下方へ延出し、下方へいくにつれて互いの間隔が小さくなるように途中部から内側方向へ屈曲している。該支柱８ｂ・８ｂの下端部には、両者を連結するように被支持ブラケット８ｃが固設されている。そして、キャノピー支持部材１８の支持ブラケット１８ｂに、キャノピー８の被支持ブラケット８ｃが着脱可能に支持されている。
【００１７】
カウンターウェイト１７上面におけるキャノピー支持部材１８の取付部には、図５に示すように、取付部材２０が埋設されており、該取付部材２０の上端から突出する嵌合突起２０ａに、パイプ状に形成されたキャノピー支持部材１８の支持支柱１８ａを嵌合し、その後に溶接等により両者を接続している。また、図６に示すように、キャノピー８の支柱８ｂはパイプ状に形成されており、被支持ブラケット８ｃが固設される支柱８ｂ下端部には、該支柱８ｂよりも小径のパイプ状に形成された補強パイプ２１を内嵌して、支持ブラケット８ｃとの接続部の強度を補強している。
【００１８】
また、図６、図７に示すように、支持支柱１８ａの上端部に固設される支持ブラケット１８ｂには複数のガイドピン２２・２２が埋設され、該ガイドピン２２・２２の上部が支持ブラケット１８ｂから上方に突出している。該ガイドピン２２・２２の突出部は、キャノピー８の被支持ブラケット８ｃの下面に形成された嵌合穴８ｄ・８ｄと着脱自在に嵌合しており、該被支持ブラケット８ｃと支持ブラケット１８ｂとは複数のボルト２３・２３・・・により締結されている。即ち、キャノピー８の被支持ブラケット８ｃと、キャノピー支持部材１８の支持ブラケット１８ｂとは、ガイドピン２２・２２及びボルト２３・２３・・・により連結され、これにより、キャノピー８がキャノピー支持部材１８に支持されているのである。尚、本例においてはガイドピン２２を二本、ボルト２３を三本設けているが、この本数に限るものではなく、また、ガイドピン２２・２２及びボルト２３・２３・・・は略直線状に配置されているが、ガイドピン２２・２２とボルト２３・２３・・・とを千鳥状に配置する等してもよい。
【００１９】
そして、キャノピー８をキャノピー支持部材１８に取付固定する場合には、まず、キャノピー８の被支持ブラケット８ｃを、キャノピー支持部材１８の支持ブラケット１８ｂ上へ、該支持ブラケット１８ｂのガイドピン２２・２２と被支持ブラケット８ｃの嵌合穴８ｄ・８ｄの位置を合わせて載置し、該嵌合穴８ｄ・８ｄとガイドピン２２・２２とを嵌合させる。キャノピー８をキャノピー支持部材１８上に載置した後、ボルト２３・２３・・・を、例えばキャノピー支持部材１８に下方から挿入し、該キャノピー支持部材１８とキャノピー８とを締結して両者を連結することで、キャノピー８をキャノピー支持部材１８に取付固定する。
【００２０】
この場合、キャノピー８は支柱８ｂ・８ｂを被支持ブラケット８ｃから略垂直上方に延設し、キャノピールーフ８ａを支柱８ｂ・８ｂから前方に張り出して構成しているため、該キャノピー８の重心は被支持ブラケット８ｃよりも前方に位置することとなり、該被支持ブラケット８ｃを支持ブラケット１８ｂに載置すると、該被支持ブラケット８ｃにはキャノピー８が前方へ傾倒する方向の力がかかる。しかし、支持ブラケット１８ｂに載置された状態の被支持ブラケット８ｃには、該支持ブラケット１８ｂに立設されたガイドピン２２・２２が嵌合しているため、被支持ブラケット８ｃは該ガイドピン２２・２２により支持され、キャノピー８が傾倒することが防止される。
【００２１】
これにより、被支持ブラケット８ｃを支持ブラケット１８ｂに載置した後は、作業者が該被支持ブラケット８ｃを支えておく必要がなく、被支持ブラケット８ｃを支持ブラケット１８ｂに載置した作業者がそのままボルトの締結を行うことが可能となる。また、被支持ブラケット８ｃを支持ブラケット１８ｂに載置する際に、嵌合穴８ｄにガイドピン２２を嵌合させることで、被支持ブラケット８ｃの載置位置が自動的に位置決めされるので、作業者が被支持ブラケット８ｃの載置位置を気にかけることなく作業を行うことができる。また、キャノピー８はキャノピー支持部材１８を介してカウンターウェイト１７に取り付けられており、即ち、ボンネット１４等に直接取り付けられた支柱によりキャノピールーフを支持して構成した従来のキャノピーを、着脱可能なキャノピー８とカウンターウェイト１７に固設されるキャノピー支持部材１８とに分割した構成としているため、着脱可能な部分である該キャノピー８の重量を低減することができ、一人の作業者でも持ち運びが可能となっている。また、ガイドピン２２によりキャノピー８を支持するように構成することにより、被支持ブラケット８ｃと支持ブラケット１８ｂとを連結するとともに両者の連結強度を確保するためのボルト２３の締結本数を少なくすることが可能となり、キャノピー８の着脱作業を簡便にするとともにコストダウンを図ることができる。
【００２２】
このように、本キャノピー８においては、着脱作業を簡便にして労力を低減するとともに、該作業を一人の作業者のみで行うことが可能となる。さらに、キャノピー８を取り付ける際に、万が一ボルト２３を締め忘れたとしても、該キャノピー８はガイドピン２２の支持により傾倒しないように構成されているので、該キャノピー８の脱落を防止することができる。
【００２３】
また、図８に示すように、前記シート１６はボンネット１４の後部を構成する開閉部１４ａの上端部に取り付けられている。該開閉部１４ａは、回動支点１４ｂを中心に前後へ回動可能に構成され、該開閉部１４ａを前方に回動してボンネット１４内を開放することにより内部のメンテナンスを行い、該開閉部１４ａの回動操作は、例えばシート１６を持って前後に押し引き操作することにより行うように構成している。一方、前記キャノピー支持部材１８の支持ブラケット１８ｂは、シート１６の高さを超えない高さに配置されており、つまり、図３に示すように、シート１６上端の高さよりも距離Ｈ低い位置に支持ブラケット１８ｂの上端が位置するように構成している。また、支持支柱１８ａはカウンターウェイト１７から略直上方に延出した後に途中部で後方へ屈曲して、支持ブラケット１８ｂが支持支柱１８ａの下端部よりも後方に配置されている。該支持支柱１８ａの後方への屈曲度合いは、前記開閉部１４ａの後端部の回動軌跡Ｓと、該支持支柱１８ａ及び支持ブラケット１８ｂとが干渉せず、かつ支持ブラケット１８ｂが旋回体２の旋回半径よりも後方外側へはみ出さない程度としている。
【００２４】
また、キャノピー支持部材１８はカウンターウェイト１７に取り付けられているので、ボンネット１４を上方回動可能に構成することができ、所謂フルオープンタイプのボンネット１４に構成することができて、ボンネット１４内部のメンテナンス作業スペースを大きく確保することができて、作業性の向上を図ることができる。さらに、ボンネット１４内のスペースを小さく構成することが可能となって、エンジン等のレイアウト構成も簡単にすることができる。また、キャノピー支持部材１８はカウンターウェイト１７に取り付けられているので、ボンネット１４の後部にスペースができ、シート１６をボンネット１４の後端部にまで配置することができて、運転操作部のスペースを広く確保することが可能となった。
【００２５】
このように、支持ブラケット１８ｂをシート１６の高さを超えない高さに配置することにより、作業者が後ろを向いたときに支持ブラケット１８ｂで視界を遮ることがない。また、キャノピー８を取り外しているときにボンネット１４内のメンテナンスを行う場合の開閉部１４ａの操作性を損なわないようにしている。即ち、開閉部１４ａの開閉操作はシート１６により行うため、キャノピー支持部材１８の上端となる支持ブラケット１８ｂの配置高さを該シート１６を超えない高さとすることで、該キャノピー支持部材１８と干渉することなくシート１６を操作することが可能となるのである。さらに、支持ブラケット１８ｂをシート１６の高さを超えない高さに配置すると同時に、前記開閉部１４ａの回動支点１４ｂよりも高位置に配置することで（図８）、開閉部１４ａの後端が開閉時に支持ブラケット１８ｂと当たることがなく、操作性を損なうことなく、左右の支持支柱１８ａと支持ブラケット１８ｂとで囲まれた空間を広く確保して、ボンネット１４内のメンテナンス性をも保持することが可能となる。
【００２６】
また、前記支持支柱１８ａの上部を、支持ブラケット１８ｂが旋回体２の旋回半径よりも後方外側へはみ出さない程度に後方へ屈曲しているので、旋回体２の旋回半径を大きくすることなく、キャノピー支持部材１８が開閉時の開閉部１４ａと干渉することを防止することができ、ボンネット１４の開閉操作性を保持することができる。
【００２７】
次に、キャノピー支持部材１８のカウンターウェイトへの取付構造の別実施例について図９乃至図１２により説明する。図９等に示すカウンターウェイト１７’は、前記カウンターウェイト１７よりも平面視における厚みを薄く形成したものであり、前述の如くカウンターウェイト１７’に前記取付部材２０を埋設してキャノピー支持部材１８を取り付けることが困難である。このような場合には、次のように取付部材としての支持柱５１を用いることで、キャノピー支持部材１８をカウンターウェイト１７’に取り付けることが可能となる。
【００２８】
即ち、カウンターウェイト１７’の側面へ、キャノピー支持部材１８の左右の支持支柱１８ａの間隔に合わせて、柱状に形成した支持柱５１・５１を配設する。そして、該支持柱５１の下端に支持板５２を溶接等によって一体的に固設し、該支持板５２とカウンターウェイト１７’が付設される旋回体２のフレーム２ａとをボルト５３・５３を用いて締結するとともに、支持柱５１の上部とカウンターウェイト１７’とをボルト５３・５３を用いて締結することで、支持柱５１をカウンターウェイト１７’に取付固定している。
【００２９】
また、支持柱５１のカウンターウェイト１７’への取付高さは、該支持柱５１の上端面とカウンターウェイト１７’の上端面とが略同じ高さとなるようにしている。さらに、該支持柱５１は、キャノピー支持部材１８の平面視における取付位置が、前述のカウンターウェイト１７にキャノピー支持部材１８を取り付ける場合の取付位置と同じになる形状に形成されている。該支持柱５１の上端面からは嵌合突起５１ａが突出しており、該嵌合突起５１ａにキャノピー支持部材１８の支持支柱１８ａを嵌合し、その後に溶接等により両者を接続することで、キャノピー支持部材１８を支持柱５１を介してカウンターウェイト１７’に取付固定している。
【００３０】
このように、カウンターウェイト１７’へ、該カウンターウェイト１７’に取り付けた支持柱５１を介してキャノピー支持部材１８を取り付けるように構成することにより、厚みが薄いカウンターウェイト１７’に対してもキャノピー支持部材１８を取付固定することが可能となる。また、支持柱５１の取付高さや形状等を前述の如く構成することで、キャノピー支持部材１８を前記カウンターウェイト１７に取り付ける場合と同じ位置に取り付けることが可能となり、カウンターウェイト１７’を有する旋回作業車とカウンターウェイト１７を有する旋回作業車とで、キャノピー支持部材１８及びキャノピー８を共用することができる。また、キャノピー８を設けない仕様となっている旋回作業車にキャノピー８を後付けで取り付ける場合には、キャノピー支持部材１８を取付部材である支持板５２やボルト５３を用いて外部からウェイト部材に付設するだけでよく、ボンネット１４やその内部を分解する必要がないので、キャノピー８の取付作業を簡便にすることができる。尚、キャノピー支持部材１８を取付部材としての支持柱５１を介してカウンターウェイト１７’の側面へ取り付けた場合にも、前記カウンターウェイト１７の上面にキャノピー支持部材１８を取り付けた場合と同様の効果が得られることはいうまでもない。
【００３１】
次に、キャノピー８の支持構造の別実施例について図１３乃至図１６により説明する。図１３に示すキャノピー８は、キャノピー支持部材１８により前述の如く支持されるとともに、旋回体２前部の左右に立設される前部支柱１９・１９によっても支持されている。即ち、キャノピー８は、前部キャノピー支持部材としての前部支柱１９・１９と、後部キャノピー支持部材としてのキャノピー支持部材１８とにより支持されている。これにより、キャノピー８のキャノピールーフ８ａは、キャノピー支持部材１８に支持される支柱８ｂ・８ｂと前記前部支柱１９・１９との合計四本の支柱により支持されることとなる。
【００３２】
前部支柱１９は、その下端部を旋回体２前部の側板２ｂに取付固定されており、その上端部をキャノピールーフ８ａに取付固定されている。また、左右の前部支柱１９・１９は、互いに別体に形成しても良く、また、上端部を互いに連結して正面視において略門型状に形成してもよい。
【００３３】
前部支柱１９の下端には支持板５６が溶接等により固設されており、該支持板５６が旋回体２のフレーム２ａにボルト５８・５８により締結され、支持ブラケット５７をボルト５８・５８を用いて旋回体２の側板２ｂに締結することにより、該前部支柱１９の下端部が側板２ｂに取付固定されている。
このように、前部支柱１９は、支持板５６と支持ブラケット５７とを用いて側板２ｂに取り付けられている。
【００３４】
また、該前部支柱１９はボルト５８・５８・・・を緩めることで旋回体２から取り外すことが可能である。従って、キャノピー８を旋回作業車から取り外す場合には、キャノピー８の被支持ブラケット８ｃをキャノピー支持部材１８の支持ブラケット１８ｂから取り外すとともに、前部支柱１９・１９の下端部を旋回体を取り外せばよい。前部支柱１９はボルト５８・５８・・・の締結により旋回体２へ取り付けるように構成しているので、該旋回体２にはボルト用孔を形成するだけの簡単な加工を施すだけで該前部支柱１９の取り付けが可能となり、また、簡単な作業で着脱することができる。
【００３５】
また、キャノピーは、前部の前部支柱１９・１９と、後部のキャノピー支持部材１８とにより支持されているため、キャノピー支持部材１８のみで支持する場合に比べて支持強度を向上することができる。さらに、前部支柱１９・１９を運転操作部１５や作業者用のガードとして用いることができる。
【００３６】
尚、前部支柱１９・１９の上端部をキャノピールーフ８ａに対して着脱可能に構成して、該前部支柱１９・１９を旋回体２に取り付けたままの状態でキャノピー８を取り外すように構成することも可能であり、この場合は、キャノピー８を取り外した状態でも、前部支柱１９・１９を運転操作部１５や作業者用のガードとして用いることができる。また、前部支柱１９の取付構造は、前述のカウンターウェイト１７’にキャノピー支持部材１８を取り付ける際の構造に適用することが可能である。
【００３７】
即ち、ウェイト部材の側面にキャノピー支持部材を取付部材を用いて取り付け、該キャノピー支持部材上に支持部を設け、該支持部によりキャノピーを着脱自在に支持可能としたので、ウェイト部材の平面視における厚みが薄くて上面にキャノピー支持部材を取り付けることが困難な場合であっても、ウェイト部材の上面に取り付ける場合と同様の位置でキャノピー支持部材を支持することが可能となり、ウェイト部材の上面にキャノピー支持部材を取り付けた旋回作業車とウェイト部材の側面にキャノピー支持部材を取り付けた旋回作業車とで、キャノピー支持部材及びキャノピーを共用することができ、コストダウンを図ることができる。また、旋回体に支持されシート等の上方を覆うキャノピーを、着脱可能なキャノピーとカウンターウェイトに固設されるキャノピー支持部材とに分割した構成とすることができるため、着脱可能な部分である該キャノピーの重量を低減することができ、一人の作業者でも持ち運びが可能となって、着脱作業を簡便にして労力を低減するとともに、該作業の作業者の削減を図ることができる。また、キャノピーを設けない仕様となっている旋回作業車にキャノピーを後付けで取り付ける場合には、キャノピー支持部材を取付部材を用いて外部からウェイト部材に付設するだけでよく、ボンネットやその内部を分解する必要がないので、キャノピーの取付作業を簡便にすることができる。また、キャノピー支持部材は、ボンネットを保護するボンネットガードとしての機能も兼ね備えることができるため、部品点数を削減してコストダウンを図ることが可能となる。また、キャノピー支持部材はウェイト部材に取り付けられているので、ボンネットを上方回動可能に構成することができ、所謂フルオープンタイプのボンネットに構成することができて、ボンネット内部のメンテナンス作業スペースを大きく確保することができて、作業性の向上を図ることができる。さらに、ボンネット内のスペースを小さく構成することが可能となって、エンジン等のレイアウト構成も簡単にすることができる。また、キャノピー支持部材はウェイト部材に取り付けられているので、ボンネットの後部にスペースができ、シートをボンネットの後端部にまで配置することができて、運転操作部のスペースを広く確保することが可能となった。
【００３８】
更に、前記キャノピー支持部材の支持部上端の高さを、旋回体上に配設したシートの上端より低く配置したので、キャノピーを取り外している状態でボンネット内のメンテナンスを行う場合の該ボンネットの開閉操作性が損なわれない。即ち、ボンネットの開閉操作はシートにより行うため、キャノピー支持部材の上端となる支持ブラケットの配置高さを該シートを超えない高さとすることで、該キャノピー支持部材と干渉することなくシートを操作することが可能となり、シートをより後方へ配置することが可能となるのである。さらに、支持ブラケットをシートの高さを超えない高さに配置することに加えて、前記ボンネットの開閉時の回動支点よりも高位置に配置することで、開閉操作性を損なうことなく、メンテナンススペースを広く確保してボンネット内のメンテナンス性をも保持することが可能となる。
【００３９】
更に、前記キャノピー支持部材の上部を、旋回体の旋回半径から外側へ飛び出さない範囲で、該キャノピー支持部材下端のウェイト部材への取り付け部よりも後方へ配置したので、旋回体の旋回半径を大きくすることなく、旋回体を回転させてもキャノピー支持部材が他の障害物と当接することがなく、また、該キャノピー支持部材が開閉時のボンネットと干渉することを防止することができ、該ボンネットの開閉操作性を保持することができる。
【図面の簡単な説明】
【００４０】
【図１】本発明のキャノピー支持構造を具備する旋回作業車を示す全体側面図である。
【図２】旋回体を示す平面図である。
【図３】カウンターウェイトに取付固定されたキャノピー支持部材と該キャノピー支持部材に支持されたキャノピーとを示す後面図である。
【図４】同じく側面図である。
【図５】キャノピー支持部材のカウンターウェイトへの取付固定部を示す側面断面図である。
【図６】キャノピーのキャノピー支持部材による支持部を示す後面図である。
【図７】同じくキャノピー支持部材の支持ブラケットを示す平面図である。
【図８】キャノピー及びキャノピー支持部材とシート及びボンネットとの位置関係を示す側面図である。
【図９】キャノピー支持部材のカウンターウェイトへの取付構造の別実施例を示す旋回体の平面図である。
【図１０】同じくカウンターウェイトに取付固定されたキャノピー支持部材と該キャノピー支持部材に支持されたキャノピーとを示す後面図である。
【図１１】同じく側面図である。
【図１２】キャノピー支持部材のカウンターウェイトへの取付部を示す側面断面図である。
【図１３】キャノピー支持構造の別実施例を示す旋回作業者の全体側面図である。
【図１４】同じく旋回体を示す平面図である。
【図１５】前部支柱の旋回体への取付構造を示す側面図である。
【図１６】同じく平面図である。
【符号の説明】
【００４１】
２  旋回体
５  アーム
６  ブーム
７  作業機
８  キャノピー
８ａ  キャノピールーフ
８ｂ  支柱
８ｃ  被支持ブラケット
１４  ボンネット
１５  運転操作部
１６  シート
１７  カウンターウェイト
１８  キャノピー支持部材
１８ａ  支持支柱
１８ｂ  支持ブラケット
２２  ガイドピン
【図１】
2008114852.tif 000003
【図２】
2008114852.tif 000004
【図３】
2008114852.tif 000005
【図４】
2008114852.tif 000006
【図５】
2008114852.tif 000007
【図６】
2008114852.tif 000008
【図７】
2008114852.tif 000009
【図８】
2008114852.tif 000010
【図９】
2008114852.tif 000011
【図１０】
2008114852.tif 000012
【図１１】
2008114852.tif 000013
【図１２】
2008114852.tif 000014
【図１３】
2008114852.tif 000015
【図１４】
2008114852.tif 000016
【図１５】
2008114852.tif 000017
【図１６】
2008114852.tif 000018